(57)【要約】【課題】電気掃除機の収納装置への着脱性を確保しつつ、二次電池の充電用のケーブルの取り外し時に電気掃除機が収納装置から外れにくい電気掃除装置を提供する。【解決手段】収納装置12は、電気掃除機11を上下方向に沿う収納状態で保持する。収納装置12は、第１係止部63と、第１係止部63よりも下方に位置する第２係止部64とを備える。電気掃除機11は、第１被係止部37と、第２被係止部38と、ケーブル接続口29とを備える。第１被係止部37は、掃除機本体15に設けられ、第１係止部63に係止される。第２被係止部38は、掃除機本体15に設けられ、第２係止部64に係止される。ケーブル接続口29は、掃除機本体15に設けられ、収納状態で上方に開口し、二次電池25の充電用のケーブルＣが着脱される。第１係止部63は、先端が上方に向けて突出するように屈曲されている。第２係止部64は、水平方向に沿って突出している。【選択図】図１
2018015325.tif 000002
【特許請求の範囲】
【請求項１】
電動送風機およびこの電動送風機に給電する二次電池を収納する掃除機本体を備えた電気掃除機と、
この電気掃除機を上下方向に沿う収納状態で保持する収納装置とを具備し、
前記収納装置は、
第１係止部と、
この第１係止部よりも下方に位置する第２係止部とを備え、
前記電気掃除機は、
前記掃除機本体に設けられ、前記第１係止部に係止される第１被係止部と、
前記掃除機本体に設けられ、前記第２係止部に係止される第２被係止部と、
前記掃除機本体に設けられ、前記収納状態で上方に開口し、前記二次電池の充電用のケーブルが着脱されるケーブル接続口とを備え、
前記第１係止部と前記第１被係止部とのいずれかは、先端が上方に向けて突出するように屈曲され、
前記第２係止部と前記第２被係止部とのいずれかは、水平方向に沿って突出している
ことを特徴とした電気掃除装置。
【請求項２】
第１被係止部は、Ｌ字状の穴部であり、
第２被係止部は、凹部である
ことを特徴とした請求項１記載の電気掃除装置。
【請求項３】
第１被係止部および第２被係止部は、電気掃除機の使用状態での掃除機本体の底部に設けられている
ことを特徴とした請求項１または２記載の電気掃除装置。
【発明の詳細な説明】
【技術分野】
【０００１】
本発明の実施形態は、電気掃除機を上下方向に沿う収納状態で収納装置に保持する電気掃除装置に関する。
【背景技術】
【０００２】
従来、二次電池を内蔵し、この二次電池を電源として動作する、いわゆるコードレスタイプの電気掃除機がある。この電気掃除機は、使用しないときには壁などに設置した収納装置に掛けておくことで、生活の邪魔にならないように収納できる。
【０００３】
電気掃除機を収納装置に収納する際には、通常、本体部を収納装置の一部に差し込むことで二次電池の充電用の端子を本体部に差し込んだ後、本体部を回動させながら収納装置に装着する。この場合、本体部の着脱性が良好でない。一方で、例えば二次電池の充電用のケーブルを本体部に対して着脱する場合には、電気掃除機が収納装置から容易に外れないようにすることが望まれる。
【先行技術文献】
【特許文献】
【０００４】
【特許文献１】特開２０１１−１８９１３３号公報
【発明の概要】
【発明が解決しようとする課題】
【０００５】
本発明が解決しようとする課題は、電気掃除機の収納装置への着脱性を確保しつつ、二次電池の充電用のケーブルの取り外し時に電気掃除機が収納装置から外れにくい電気掃除装置を提供することである。
【課題を解決するための手段】
【０００６】
実施形態の電気掃除装置は、電気掃除機と、収納装置とを有する。電気掃除機は、電動送風機およびこの電動送風機に給電する二次電池を収納する掃除機本体を備える。収納装置は、電気掃除機を上下方向に沿う収納状態で保持する。また、この収納装置は、第１係止部と、この第１係止部よりも下方に位置する第２係止部とを備える。電気掃除機は、第１被係止部と、第２被係止部と、ケーブル接続口とを備える。第１被係止部は、掃除機本体に設けられ、第１係止部に係止される。第２被係止部は、掃除機本体に設けられ、第２係止部に係止される。ケーブル接続口は、掃除機本体に設けられ、収納状態で上方に開口し、二次電池の充電用のケーブルが着脱される。第１係止部と第１被係止部とのいずれかは、先端が上方に向けて突出するように屈曲されている。第２係止部と第２被係止部とのいずれかは、水平方向に沿って突出している。
【図面の簡単な説明】
【０００７】
【図１】一実施形態の電気掃除装置の電気掃除機の収納装置への収納状態を示す側面図である。
【図２】同上電気掃除機を収納装置から取り外した状態を示す側面図である。
【図３】同上電気掃除機を収納装置へと収納する作業を拡大して示す側面図である。
【図４】同上収納装置を示す縦断面図である。
【図５】同上電気掃除装置を示す斜視図である。
【図６】同上電気掃除機の使用状態を示す斜視図である。
【発明を実施するための形態】
【０００８】
以下、一実施形態の構成を図１ないし図６を参照して説明する。
【０００９】
図５において、10は電気掃除装置を示し、この電気掃除装置10は、電気掃除機11と、この電気掃除機11を掃除しない非使用時に上下方向に沿う収納状態で収納支持する支持装置としての収納装置(収納台)12とを備えている。
【００１０】
図１ないし図５に示す電気掃除機11は、掃除機本体15と、この掃除機本体15に接続された長尺状の風路体16とを備えた、いわゆるスティック型のコードレス電気掃除機である。
【００１１】
掃除機本体15は、本体部21を備えている。また、この掃除機本体15は、本体部21に対して着脱可能な集塵部(集塵装置)22を備えている。さらに、この掃除機本体15は、電動送風機23を備えている。また、この掃除機本体15は、電動送風機23の動作を制御する制御手段(制御部)24を備えている。さらに、この掃除機本体15は、電動送風機23および制御手段24などの電源となる電源部としての電池である二次電池25を備えている。また、この掃除機本体15は、風路体16が接続される本体接続口26を備えている。さらに、この掃除機本体15は、この掃除機本体15(電気掃除機11)を保持するための人体接触部としての本体保持部であるハンドル(把持部)27を備えている。また、この掃除機本体15は、電動送風機23の動作モードを設定する設定手段としての設定ボタン28を備えている。さらに、この掃除機本体15は、二次電池25の充電用のケーブルＣが着脱可能に接続されるケーブル接続口(ＤＣジャック)29を備えている。また、この掃除機本体15は、集塵部22とそれぞれ連通する図示されない第１連通口と第２連通口とを備えている。さらに、この掃除機本体15は、電動送風機23の排気を排出する排気口33を備えている。また、この掃除機本体15は、収納装置12に係止される第１被係止部37および第２被係止部38を備えている。そして、この掃除機本体15の内部には、本体接続口26と第１連通口とを連通し、第２連通口と電動送風機23の吸込側とを連通し、この電動送風機23の排気側と排気口33とを連通するように風路が形成されている。
【００１２】
なお、電気掃除機11は、本体接続口26を下方に傾斜させて向けた図６に示す状態が使用状態、本体接続口26を上下方向に沿わせた図１に示す状態が収納状態となるが、説明をより明確にするため、以下、電気掃除機11は、収納状態を基準として上下方向、前後方向および左右方向を説明する。すなわち、矢印Ｕおよび矢印Ｄ方向を上下方向、矢印FR方向および矢印RR方向を前後方向、および、矢印Ｌ方向および矢印Ｒ方向を左右方向と定義する。
【００１３】
図２に示す本体部21は、全体として上下に長手状に形成されている。この本体部21には、電動送風機23、制御手段24、二次電池25がそれぞれ収容されている。また、この本体部21には、本体接続口26が開口されている。さらに、この本体部21には、ハンドル27が突設されている。また、この本体部21には、ケーブル接続口29が開口されている。さらに、この本体部21には、第１連通口および第２連通口が開口されている。また、この本体部21には、排気口33が開口されている。さらに、この本体部21には、第１被係止部37および第２被係止部38がそれぞれ凹設されている。そして、この本体部21は、下部に位置し上下方向に沿って延びる第１本体部42と、上部に位置し上下方向に沿って延びる第２本体部43と、これら第１本体部42と第２本体部43とを連結する連結本体部としての傾斜本体部44とを備えている。また、この本体部21には、集塵部22を取り付け保持する取付保持部45が設けられている。
【００１４】
第１本体部42は、上下方向に沿って略直線状に形成されている。また、この第１本体部42は、本体接続口26の軸線Ａ上に位置している。
【００１５】
第２本体部43は、第１本体部42に対して後方に位置している。すなわち、この第２本体部43は、本体接続口26の軸線Ａに対して後方に位置している。また、この第２本体部43は、上下方向に沿って直線状に形成されている。したがって、この第２本体部43は、第１本体部42と略平行に形成されている。
【００１６】
傾斜本体部44は、下側前方から上側後方へと傾斜する直線に沿って形成されている。このため、本体部21は、略クランク状に屈曲して形成されている。したがって、掃除機本体15(本体部21)の使用状態での底部となる後部Ｂは、第１本体部42、傾斜本体部44および第２本体部43に亘って、略クランク状に屈曲している。すなわち、第１本体部42の後部B1および第２本体部43の後部B2が互いに平坦状に形成され、傾斜本体部44の後部B3が傾斜状に形成されている。また、第１本体部42の後部B1および第２本体部43の後部B2は、それぞれ本体接続口26の軸線Ａに対して略平行となっている。
【００１７】
取付保持部45は、第１本体部42の上部、すなわち第１本体部42と傾斜本体部44との連続位置から前方に向けて突出されている。例えば、この取付保持部45は、前後方向に沿って直線状に形成されている。したがって、この取付保持部45は、掃除機本体15(本体部21)の長手方向に対して交差する方向に沿って延びている。また、この取付保持部45は、本体接続口26の軸線Ａに対して前方に位置している。
【００１８】
集塵部22は、電動送風機23の吸込側に連通し、この電動送風機23の動作により吸い込んだ塵埃を捕集するものである。この集塵部22は、例えば電動送風機23の動作により空気とともに吸い込んだ塵埃を空気から遠心分離(サイクロン分離)する、サイクロン分離式の集塵カップである。この集塵部22は、この集塵部22を本体部21に係止するための集塵係止部47を備えている。この集塵係止部47は、本実施形態では例えば集塵部22の上端部に設けられているが、本体部21側に設けられていてもよい。本実施形態では、この集塵係止部47は、取付保持部45に係止保持される。さらに、この集塵部22は、図示されない集塵吸込口と集塵排気口とを備えている。これら集塵吸込口および集塵排気口は、集塵部22を本体部21に取り付けた状態で第１連通口および第２連通口と連通する。したがって、この集塵部22は、本体部21に取り付けた状態で電動送風機23の吸込側と連通される。また、この集塵部22は、本体部21に取り付けた状態で本体接続口26(風路体16)の下流側に接続される。
【００１９】
電動送風機23は、電動機とこの電動機により回動されるファンとを備えている。電動機は、例えばブラシレスモータが用いられる。また、この電動送風機23は、傾斜本体部44に収容されている。例えば、この電動送風機23は、傾斜本体部44に沿って、すなわち上下方向に対して前後に傾斜した状態で収容されている。したがって、この電動送風機23は、掃除機本体15(本体部21)の上下方向(長手方向)の略中央部に位置している。例えば、この電動送風機23は、本体接続口26の軸線Ａと重なる位置に一部が位置している。
【００２０】
制御手段24は、例えばマイコンなどを備えた制御基板である。この制御手段24は、例えば電動送風機23などを設定ボタン28による使用者の設定にしたがって動作させる駆動制御部を備えている。
【００２１】
二次電池25は、例えば複数の電池を備える電池パックである。この二次電池25は、電動送風機23よりも重量が大きく、電気掃除機11中で最も重い重量物である。また、この二次電池25は、第２本体部43に収容されている。例えば、この二次電池25は、第２本体部43に沿って上下方向に配置されている。
【００２２】
本体接続口26は、風路体16と掃除機本体15とを連通する連通口である。この本体接続口26は、本体部21の下端部に位置している。すなわち、この本体接続口26は、掃除機本体15の下部に設けられている。例えば、この本体接続口26は、第１本体部42の下端部に開口されている。
【００２３】
ハンドル27は、掃除機本体15(本体部21)の前部に位置している。例えば、このハンドル27は、掃除機本体15(本体部21)の上部寄りに位置している。また、このハンドル27の前部には、設定ボタン28が配置されている。
【００２４】
設定ボタン28は、例えばハンドル27の下側寄りに位置している。この設定ボタン28は、ハンドル27を把持した使用者がその把持した手の親指などにより押し操作可能となっている。
【００２５】
ケーブル接続口29は、第２本体部43の上端部に位置している。したがって、このケーブル接続口29は、掃除機本体15(本体部21)の上部に位置している。また、このケーブル接続口29は、ハンドル27よりも上方に位置している。さらに、このケーブル接続口29は、第１被係止部37よりも上方に位置している。すなわち、このケーブル接続口29は、第２被係止部38よりも上方に位置している。また、このケーブル接続口29は、第２被係止部38よりも第１被係止部37に近い位置に配置されている。そして、このケーブル接続口29は、収納状態での電気掃除機11(掃除機本体15)の最上端に位置している。また、このケーブル接続口29は、上方に向けて開口されている。このケーブル接続口29は、例えば円穴状に形成されている。なお、このケーブル接続口29に接続されるケーブルＣは、一端側に、ケーブル接続口29に挿入されるプラグCPが設けられている。また、このケーブルＣの図示されない他端側は、本実施形態では例えばＡＣ−ＤＣコンバータ(ＡＣ−ＤＣアダプタ)を介して壁面などのコンセントに接続される。なお、ケーブルＣにＡＣ−ＤＣコンバータ(ＡＣ−ＤＣアダプタ)を備える代わりに、制御手段24に商用交流電源などの外部電源から給電を受けて二次電池25を充電する定電流回路などの充電回路部を備える構成としてもよい。
【００２６】
第１連通口は、第１本体部42の前部に位置している。同様に、第２連通口は、第１本体部42の前部に位置している。したがって、これら第１連通口および第２連通口は、掃除機本体15(本体部21)の前部に位置している。そして、これら第１連通口と第２連通口とは、上下に並んで配置されている。さらに、これら第１連通口と第２連通口とは、本体部21に集塵部22を取り付けた状態で、集塵部22を介して互いに連通されるようになっている。
【００２７】
排気口33は、第１本体部42の両側部に位置している。したがって、この排気口33は、掃除機本体15の下側寄りに配置されている。なお、この排気口33は、図示されないフィルタにより覆われていてもよい。
【００２８】
第１被係止部37は、掃除機本体15(本体部21)の使用状態などでの底部となる後部Ｂに配置されている。したがって、この第１被係止部37は、本体接続口26の軸線Ａに対して後方に位置している。例えば、この第１被係止部37は、掃除機本体15(本体部21)の後部Ｂのうち、第２本体部43の後部B2の上部に配置されている。したがって、この第１被係止部37は、ケーブル接続口29の近傍に位置している。また、この第１被係止部37は、二次電池25の上部近傍に配置されている。さらに、この第１被係止部37は、本実施形態において、Ｌ字状の穴部となっている。すなわち、この第１被係止部37は、前後方向に沿う被挿入部37aと、この被挿入部37aの先端部(前端部)から上方へと屈曲する引っ掛け部37bとを備えている。被挿入部37aは、後方に向けて開口されている。また、引っ掛け部37bは、ケーブル接続口29の後部に隣接して位置している。
【００２９】
第２被係止部38は、掃除機本体15(本体部21)の底部となる後部Ｂに配置されている。したがって、この第２被係止部38は、本体接続口26の軸線Ａに対して後方に位置している。例えば、この第２被係止部38は、掃除機本体15(本体部21)の後部Ｂのうち、傾斜本体部44の後部B3に配置されている。したがって、この第２被係止部38は、第１被係止部37に対して下方に離れた位置に配置されている。また、この第２被係止部38は、掃除機本体15(本体部21)の後部Ｂにて前方に屈曲した位置に設けられている。このため、この第２被係止部38は、第１被係止部37に対して前方、換言すれば、電気掃除機11の使用状態での上方に設けられている。また、この第２被係止部38は、電動送風機23の近傍に配置されている。本実施形態では、この第２被係止部38は、電動送風機23の後方に位置している。そして、この第２被係止部38は、本実施形態において、略前後方向に沿って掃除機本体15(本体部21)に直線状に凹設された凹部である。すなわち、この第２被係止部38は、後方に向けて開口されている。
【００３０】
また、風路体16は、内部に風路を区画し、掃除機本体15に接続された状態で電動送風機23の吸込側と連通する。この風路体16は、長尺状の延長管51を備えている。また、この風路体16は、吸込口体を先端側(上流側)に備えていてもよい。この吸込口体としては、任意のものを用いることができるが、本実施形態では例えば吸込口体としての床ブラシ52が用いられる。そして、風路体16は、全体として略直線状に形成されている。
【００３１】
延長管51は、基端側が掃除機本体15に接続されて集塵部22と気密に接続されるようになっている。例えば、この延長管51は、基端側が本体接続口26に接続される。したがって、この延長管51は、本体接続口26の軸線Ａに沿って直線状に位置する。また、この延長管51は、掃除機本体15(本体部21)に設けられたクランプ54によって着脱可能に保持される。
【００３２】
床ブラシ52は、ケース体56を備えている。また、この床ブラシ52は、接続管57を備えている。ケース体56は、横長、すなわち左右方向に長手状に形成されている。また、このケース体56には、被掃除面に対向する下部に、図示されない吸込口が開口されている。また、接続管57は、ケース体56に回動可能に接続されている。さらに、接続管57は、吸込口に連通し、延長管51の先端側に気密に接続される。そして、この床ブラシ52は、延長管51の先端側に接続される。例えば、この床ブラシ52は、接続管57が延長管51に挿入接続される。また、この床ブラシ52は、延長管51に設けられた床ブラシクランプ59により延長管51の接続が保持されるようになっている。
【００３３】
なお、電気掃除機11は、風路体16を取り外して掃除機本体15のみで使用することにより、本体接続口26を吸込口とするハンディ型(携帯型)の電気掃除機として用いることもできる。
【００３４】
一方、収納装置12は、壁面などの上下方向に沿う所定の設置面Ｐに設置される壁掛け台である。以下、収納装置12は、鉛直な設置面Ｐに設置した状態を基準として上下方向、前後方向および左右方向をそれぞれ説明する。すなわち、この収納装置12についても、電気掃除機11と同様に、矢印Ｕおよび矢印Ｄ方向を上下方向、矢印FR方向および矢印RR方向を前後方向、および、矢印Ｌ方向および矢印Ｒ方向を左右方向と定義する。
【００３５】
この収納装置12は、設置面Ｐに取り付けられる収納装置本体である台座部61を備えている。すなわち、この収納装置12は、電気掃除機11を吊り下げ支持するものである。また、この収納装置12は、規制部62を備えている。さらに、この収納装置12は、第１係止部63を備えている。また、この収納装置12は、第２係止部64を備えている。
【００３６】
台座部61は、収納装置12に取り付けられた収納状態の電気掃除機11の掃除機本体15(本体部21)の底部となる後部Ｂと対向する部分である。すなわち、この台座部61は、収納状態の電気掃除機11の掃除機本体15が重ねられる部分である。この台座部61は、例えば上下方向に沿って長手状に設けられている。また、この台座部61は、略板状に形成され、厚み方向を前後方向として設置面Ｐに固定される。さらに、この台座部61には、この台座部61を設置面Ｐに対して図示されないねじなどによって固定するための固定穴67が前後方向に貫通して設けられている。この固定穴67は、本実施形態では上下に離れて複数設けられている。また、この台座部61は、ガイド面68を備えている。さらに、この台座部61は、受け面69を備えている。
【００３７】
ガイド面68は、掃除機本体15(本体部21)の後部Ｂの一部が重ねられる部分である。例えば、このガイド面68は、掃除機本体15(本体部21)の後部Ｂのうち、第２本体部43の後部B2が重ねられる部分である。すなわち、このガイド面68は、収納状態の電気掃除機11の掃除機本体15の後部Ｂの上側部分が重ねられる部分である。このガイド面68は、収納状態の電気掃除機11の掃除機本体15(本体部21)の後部Ｂと対向する台座部61の前部に設けられている。また、このガイド面68は、本実施形態では、図４に示すように、下方に向かって設置面Ｐに接近するように傾斜している。このため、台座部61は、下方に向かって厚みが薄くなるように形成されている。
【００３８】
受け面69は、掃除機本体15(本体部21)の後部Ｂの他の一部が重ねられる部分である。例えば、この受け面69は、掃除機本体15(本体部21)の後部Ｂのうち、傾斜本体部44の後部B3が重ねられる部分である。すなわち、この受け面69は、収納状態の電気掃除機11の掃除機本体15の後部Ｂの上下方向の略中央部が重ねられる部分である。この受け面69は、ガイド面68の下部に連続している。また、この受け面69は、規制部62の位置に配置されている。さらに、この受け面69は、前方向に向かって湾曲している。すなわち、この受け面69は、下方に向かって前方に突出するように湾曲している。
【００３９】
図５に示すように、規制部62は、電気掃除機11を収納装置12に取り付けて収納する際に電気掃除機11の掃除機本体15(本体部21)の左右方向の位置を規制するものである。この規制部62は、台座部61の下端部の両側に設けられている。すなわち、この規制部62は、収納装置12の下部両側に位置する。この規制部62は、図１に示すように、台座部61に対して、設置面Ｐから離れる前方向に突出している。
【００４０】
図１ないし図５に示す第１係止部63は、電気掃除機11の掃除機本体15に設けられた第１被係止部37と係止されるものである。この第１係止部63は、台座部61の上端部近傍に配置されている。例えば、この第１係止部63は、台座部61のガイド面68にて上側の固定穴67の上方に配置されている。このため、この第１係止部63は、規制部62よりも上方に位置している。また、この第１係止部63は、台座部61の左右方向の略中央部に配置されている。さらに、この第１係止部63は、本実施形態において、前方斜め上に向かって先端側が屈曲するＬ字状の凸部となっている。すなわち、この第１係止部63は、前後方向に沿う基部63aと、この基部63aの先端部(前端部)から上方へと屈曲する引っ掛けガイド部63bとを備えている。引っ掛けガイド部63bは、基端側である下端側から先端側である上端側へと、基部63aに対して徐々に離れるように前方に傾斜している。換言すれば、この第１係止部63は、電気掃除機11の前方への引っ張りに対して引っ掛かりを有するフック状となっている。
【００４１】
第２係止部64は、電気掃除機11の掃除機本体15に設けられた第２被係止部38にと係止されるものである。この第２係止部64は、台座部61の下端部近傍に配置されている。したがって、この第２係止部64は、第１係止部63よりも下方に位置している。すなわち、この第２係止部64は、第１係止部63に対して下方に離れて位置している。例えば、この第２係止部64は、台座部61の受け面69にて下側の固定穴67の下方に配置されている。また、この第２係止部64は、規制部62の間に位置している。このため、この第２係止部64は、第１係止部63よりも前方に位置している。さらに、この第２係止部64は、本実施形態において、略直線状、または略円弧状などの凸部である。すなわち、この第２係止部64は、電気掃除機11の前方への引っ張りに対して引っ掛かりを有しない形状となっている。例えば、この第２係止部64は、前後方向(水平方向)に沿って直線状、または、第１係止部63を中心とする仮想的な円弧に沿って円弧状に突出されている。そして、この第２係止部64は、台座部61の左右方向の略中央部に配置されている。
【００４２】
次に、上記一実施形態の作用を説明する。
【００４３】
電気掃除機11を用いた掃除の際には、集塵部22を本体部21に装着した掃除機本体15に風路体16を接続する。この状態で、床ブラシ52が(延長管51、掃除機本体15の本体接続口26および第１連通口を介して集塵部22と連通するとともに、この集塵部22、掃除機本体15の第２連通口を介して)電動送風機23の吸込側と連通する。
【００４４】
そして、電気掃除機11では、ハンドル27を把持した使用者が床ブラシ52を被掃除面に載置し、ハンドル27の設定ボタン28を操作することで設定した動作で制御手段24が電動送風機23を駆動させるとともに、床ブラシ52を被掃除面上で前後方向や斜め方向などに交互に走行させながら、電動送風機23の駆動により生じた負圧を利用して被掃除面の塵埃を床ブラシ52の吸込口から空気とともに吸い込む。
【００４５】
この吸い込まれた含塵空気は、床ブラシ52から延長管51を介して掃除機本体15(本体部21)へと運ばれて集塵部22に吸い込まれ、この集塵部22にて塵埃が空気から分離される。この塵埃が分離された空気は集塵部22から本体部21へと排出され、電動送風機23に吸い込まれてこの電動送風機23を冷却した後、排気口33から掃除機本体15の外部へと排出される。なお、電気掃除機11は、風路体16を取り外して本体接続口26から直接塵埃を吸い込んで掃除することもできるし、本体接続口26に別途の吸込ノズル(つる口)などの風路体を接続して掃除することもできる。
【００４６】
掃除が終了すると、使用者は設定ボタン28を操作して制御手段24により電動送風機23を停止させる。そして、使用者がハンドル27を把持して電気掃除機11を鉛直上下方向に沿わせると、図２に示すように床ブラシ52のケース体56が自重によって接続管57に対して下方へと回動することで延長管51および接続管57と略一直線上に並んだ状態となる。この状態で、使用者は、図３に示すように電気掃除機11の長手方向を上下方向に沿わせて設置面Ｐに取り付けられた収納装置12に接近させ、第１係止部63と第１被係止部37とを位置合わせするとともに掃除機本体15の両側を規制部62間に位置合わせして第１係止部63に対して電気掃除機11を上方から引っ掛けるように取り付ける。このとき、第１係止部63が第１被係止部37へと挿入されることにより、第１係止部63の引っ掛けガイド部63bの傾斜に沿って電気掃除機11が設置面Ｐへと接近するように下方斜めにガイドされるため、第２被係止部38が第２係止部64へと前方から挿入される。また、第２被係止部38が収納状態の電気掃除機11の掃除機本体15の後部Ｂにて前方に屈曲した位置に前後方向に沿って開口されていることにより、第２被係止部38の上縁に対して下縁が前方に位置するので、第２係止部64に対して上方から容易に嵌合する。したがって、電気掃除機11は、収納装置12の第１係止部63に引っ掛けるワンアクションのみで、大きく回動などさせることなく収納装置12に容易に係止された状態で収納される。すなわち、電気掃除機11を収納装置12に対して容易に取り付けて収納できる。
【００４７】
収納装置12に収納された電気掃除機11は、掃除機本体15の後部Ｂと収納装置12の台座部61(ガイド面68)との形状により、本実施形態では掃除機本体15の第２本体部43の後部B2が平坦状に形成され、台座部61が下方に向けて設置面Ｐに徐々に接近するようにガイド面68が傾斜していることにより、第２本体部43の後部B2とガイド面68とが重ねられることで、後部B2と平行な本体接続口26の軸線Ａが鉛直上下方向に対して若干傾斜した状態、すなわち軸線Ａと略平行な風路体16が基端側である上端側から先端側である下端側(床ブラシ52側)へと設置面Ｐに対して徐々に接近する状態で、かつ、床ブラシ52が設置面Ｐに対して接触しない状態(離れた状態)で保持され、床ブラシ52などの設置面Ｐからの突出が抑制されてコンパクトに収納される。この状態で、風路体16は、先端側が床面に対して上方に離れる状態、または接する状態となる。本実施形態では、風路体16は、床ブラシ52が床面に対して上方に離れる状態、または接する状態となる。すなわち、この状態で、電気掃除機11は床面に対して風路体16によって下方から支持されない。換言すれば、電気掃除機11は、収納装置12によって吊り下げ支持された状態となる。
【００４８】
そして、使用者は、収納状態で電気掃除機11(掃除機本体15)の上端に露出するケーブル接続口29に対して、ケーブルＣのプラグCPを上方から挿入して接続する。この結果、掃除機本体15内の制御手段24に充電用の電力が供給され、二次電池25が充電される。充電が終了し、電気掃除機11の使用を開始する際、使用者はケーブルＣをケーブル接続口29から略鉛直上方へと引き抜く。このとき、ケーブルＣ(プラグCP)とケーブル接続口29との接続の保持力により、電気掃除機11がケーブルＣとともに略鉛直上方に引き上げられる力が加わる。この点、本実施形態では、鉛直上下方向と交差(直交)する水平方向に突出した収納装置12の第２係止部64が電気掃除機11の掃除機本体15に設けられた第２被係止部38に挿入されていることで、電気掃除機11を引き上げる力に対して係止して収納装置12から外れにくく保持し、第２係止部64が第２被係止部38にて電気掃除機11を係止する係止力を利用してケーブルＣをケーブル接続口29から容易に引き抜くことができる。
【００４９】
また、電気掃除機11を使用するために収納装置12から取り外す際には、使用者がハンドル27を把持し、取り付け時と逆の動作をする、すなわち電気掃除機11を収納装置12に対して設置面Ｐから離れる方向へと上方斜め、換言すれば前方斜め上に引き上げることで、第１係止部63が第１被係止部37から引き抜かれ、引っ掛けガイド部63bと引っ掛け部37bとの形状により、これらが傾斜する方向に沿って、すなわち前方斜め上方へと電気掃除機11がガイドされて第２係止部64が第２被係止部38から引き抜かれ、収納状態の電気掃除機11が収納装置12から容易に取り外される。
【００５０】
この結果、電気掃除機11の収納装置12への着脱性を確保しつつ、二次電池25の充電用のケーブルＣの取り外し時に電気掃除機11が収納装置12から外れにくくできる。
【００５１】
また、電気掃除機11の掃除機本体15に設けた第１被係止部37をＬ字状の穴部とし、第２被係止部38を凹部とすることにより、使用しないときに第１被係止部37および第２被係止部38に対して塵埃などが入り込むことを抑制でき、第１被係止部37および第２被係止部38が汚れにくい。
【００５２】
さらに、第１被係止部37および第２被係止部38を、電気掃除機11の使用状態での掃除機本体15の底部となる後部Ｂに設けることにより、使用しているときに第１被係止部37および第２被係止部38に対して塵埃などが入り込むことを抑制でき、第１被係止部37および第２被係止部38が汚れにくい。
【００５３】
なお、上記一実施形態において、電気掃除機11の掃除機本体15に設けた第１被係止部37および第２被係止部38を凹部、収納装置12に設けた第１係止部63および第２係止部64を凸部としたが、第１被係止部37および第２被係止部38を凸部、第１係止部63および第２係止部64を凹部とすることもできる。
【００５４】
また、ケーブル接続口29は、収納状態での電気掃除機11の上端部に配置したが、収納状態で上方に向けて開口されていれば、その位置は問わない。
【００５５】
本発明の一実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００５６】
10    電気掃除装置
11    電気掃除機
12    収納装置
15    掃除機本体
23    電動送風機
25    二次電池
29    ケーブル接続口
37    第１被係止部
38    第２被係止部
63    第１係止部
64    第２係止部
Ｃ    ケーブル
【図１】
2018015325.tif 000003
【図２】
2018015325.tif 000004
【図３】
2018015325.tif 000005
【図４】
2018015325.tif 000006
【図５】
2018015325.tif 000007
【図６】
2018015325.tif 000008